(57)【特許請求の範囲】
【請求項１】
移動局装置に対して周波数スケジューリングを行い、周波数スケジューリングの制御単位であるリソースブロックを前記移動局装置に割り当てる割当手段と、
所定の条件を満たす複数の移動局装置を、低レートデータを受信する低レートＵＥとしてグループ化し、グループ化した各低レートＵＥにグループＩＤを付与するグルーピング手段と、
前記グループＩＤを含む共通制御チャネルを生成する共通制御チャネル生成手段と、
前記低レートＵＥに割り当てられたリソースブロックの割当情報を示す制御情報を生成する制御情報生成手段と、
前記共通制御チャネル、データ及び前記制御情報を多重し、前記制御情報を前記低レートデータが割り当てられるリソースブロックのデータ領域に多重する多重手段と、
多重信号を送信する送信手段と、
を具備する無線送信装置。
【請求項２】
複数のリソースブロックにわたって配置される前記制御情報を同一の符号化率によって符号化する制御情報符号化手段を具備する請求項１に記載の無線送信装置。
【請求項３】
１つのリソースブロックが複数の低レートＵＥに割り当てられる場合、前記共通制御チャネルは前記リソースブロックが複数の低レートＵＥに割り当てられていることを通知し、前記制御情報は前記リソースブロック内の割当情報を通知する請求項１に記載の無線送信装置。
【請求項４】
前記移動局装置のＭＣＳを設定するＭＣＳ設定手段を具備し、
前記共通制御チャネルは前記低レートＵＥの平均のＭＣＳを指示し、前記制御情報は前記低レートＵＥの各ＭＣＳと前記平均ＭＣＳとの相対値を指示する請求項１に記載の無線送信装置。
【請求項５】
受信特性が最も良好なリソースブロックのみに制御情報をまとめて割り当てる制御情報割当手段を具備し、
前記多重手段は、前記リソースブロック内に隣接するリソースブロックに低レートデータを多重する請求項１に記載の無線送信装置。
【請求項６】
前記移動局装置のＭＣＳを設定するＭＣＳ設定手段を具備し、
前記グルーピング手段は、同一のＭＣＳが設定された低レートＵＥをグループ化する請求項１に記載の無線送信装置。
【請求項７】
前記移動局装置の移動速度情報を受信する受信手段を具備し、
前記グルーピング手段は、前記移動速度情報に基づいて、一定範囲内の移動速度の低レートＵＥをグループ化する請求項１に記載の無線送信装置。
【請求項８】
移動局装置に対して周波数スケジューリングを行い、周波数スケジューリングの制御単位であるリソースブロックを前記移動局装置に割り当てる割当工程と、
所定の条件を満たす複数の移動局装置を、低レートデータを受信する低レートＵＥとしてグループ化し、グループ化した各低レートＵＥにグループＩＤを付与するグルーピング工程と、
前記グループＩＤを含む共通制御チャネル、前記低レートＵＥに割り当てられたリソースブロックの割当情報を示す制御情報及びデータを多重し、前記制御情報を前記低レートデータが割り当てられるリソースブロックのデータ領域に多重する多重工程と、
を具備する無線送信方法。
【発明の詳細な説明】
【技術分野】
【０００１】
本発明は、ＯＦＤＭ（Orthogonal Frequency Division Multiplexing）システムにおける無線送信装置及び無線送信方法に関する。
【背景技術】
【０００２】
近年、無線通信、特に移動体通信では、音声以外に画像やデータなどの様々な情報が伝送の対象になっている。今後は、さらに高速な伝送に対する要求が高まることが予想される。高速伝送を行うためには、限られた周波数資源をより効率よく利用して、高い伝送効率を実現する無線伝送技術が求められる。
【０００３】
このような要求に応え得る無線伝送技術の一つにＯＦＤＭがある。ＯＦＤＭは、多数のサブキャリアを用いてデータを並列伝送するマルチキャリア伝送技術であり、高い周波数利用効率、マルチパス環境下のシンボル間干渉低減などの特徴を有し、伝送効率の向上に有効であることが知られている。
【０００４】
このＯＦＤＭを下り回線に用い、複数の移動局へのデータを複数のサブキャリアに周波数多重する場合に、周波数スケジューリングを行うことが検討されている（非特許文献１参照）。
【０００５】
周波数スケジューリングでは、基地局が各移動局での周波数帯域毎の受信品質に基づいて、各移動局に対して適応的にサブキャリアを割り当てるものである。このため、最大限のマルチユーザダイバーシチ利得を得ることができ、非常に効率良く通信を行うことができる。
【０００６】
周波数スケジューリングによって割り当てが決定した各移動局のデータ（例えば、音声、データ、画像）は、共通チャネル（Shared Channel）で送信される。また、共通チャネルで送信されるデータの送信パラメータ（例えば、割当ＲＢ（Resource Block）番号、割当移動局ＩＤ、ＭＣＳ（Modulation and Coding Scheme））は、移動局毎に共通制御チャネル（Shared Control Channel、以下「ＳＣＣＨ」という)で通知されることが検討されている（非特許文献１参照）。
【非特許文献１】R1-050590, “Physical Channels and Multiplexing in Evolved UTRA Downlink”, NTT DoCoMo, 3GPP TSG-RAN WG1, 2005/06
【発明の開示】
【発明が解決しようとする課題】
【０００７】
しかしながら、１つの移動局に対して１つのＳＣＣＨを送信するため、低レートデータを受信する移動局が多数存在するときに、ＳＣＣＨもそれに応じて多数送信することになる。よって、ＳＣＣＨの数が多くなり、３ＧＰＰにおいて規定される送信データブロックの１単位である１ＴＴＩ（Transmission Timing Interval）内のデータ領域が減少し、スループットが低下する。
【０００８】
本発明の目的は、低レートデータを受信する移動局を多く収容し、システムスループットの低下を回避する無線送信装置及び無線送信方法を提供することである。
【課題を解決するための手段】
【０００９】
本発明の無線送信装置は、移動局装置に対して周波数スケジューリングを行い、周波数スケジューリングの制御単位であるリソースブロックを前記移動局装置に割り当てる割当
手段と、所定の条件を満たす複数の移動局装置を、低レートデータを受信する低レートＵＥとしてグループ化し、グループ化した各低レートＵＥにグループＩＤを付与するグルーピング手段と、前記グループＩＤを含む共通制御チャネルを生成する共通制御チャネル生成手段と、前記低レートＵＥに割り当てられたリソースブロックの割当情報を示す制御情報を生成する制御情報生成手段と、前記共通制御チャネル、データ及び前記制御情報を多重し、前記制御情報を前記低レートデータが割り当てられるリソースブロックのデータ領域に多重する多重手段と、多重信号を送信する送信手段と、を具備する構成を採る。
【００１０】
本発明の無線送信方法は、移動局装置に対して周波数スケジューリングを行い、周波数スケジューリングの制御単位であるリソースブロックを前記移動局装置に割り当てる割当工程と、所定の条件を満たす複数の移動局装置を、低レートデータを受信する低レートＵＥとしてグループ化し、グループ化した各低レートＵＥにグループＩＤを付与するグルーピング工程と、前記グループＩＤを含む共通制御チャネル、前記低レートＵＥに割り当てられたリソースブロックの割当情報を示す制御情報及びデータを多重し、前記制御情報を前記低レートデータが割り当てられるリソースブロックのデータ領域に多重する多重工程と、を具備するようにした。
【発明の効果】
【００１１】
本発明によれば、低レートデータを受信する移動局を多く収容し、システムスループットの低下を回避することができる。
【発明を実施するための最良の形態】
【００１２】
以下、本発明の実施の形態について、図面を参照して詳細に説明する。
【００１３】
（実施の形態１）
図１は、本発明の実施の形態１に係る送信装置１００の構成を示すブロック図である。この図において、誤り訂正符号化部１０１は、後述するＭＣＳ設定部１０７から出力された符号化率で送信データを誤り訂正符号化し、Ｓ／Ｐ（シリアル／パラレル）部１０２に出力する。
【００１４】
Ｓ／Ｐ部１０２は、誤り訂正符号化部１０１から出力された直列の符号化データをＲＢ毎に送信可能なデータサイズに合わせて複数系列の並列な符号化データに変換し、各系列
の符号化データをそれぞれ変調部１０３−１〜１０３−ｎに出力する。
【００１５】
変調部１０３−１〜１０３−ｎは、Ｓ／Ｐ部１０２から出力された符号化データをＭＣＳ設定部１０７から出力された変調方式に従ってＲＢ毎に変調してデータシンボルを生成し、生成したデータシンボルを対応するレピティション部１０４−１〜１０４−ｎにそれぞれ出力する。なお、変調部１０３−１〜１０３−ｎは、１ＯＦＤＭシンボルに含まれるＲＢ数ｎだけ備えられる。
【００１６】
レピティション部１０４−１〜１０４−ｎは、変調部１０３−１〜１０３−ｎから出力されたデータシンボルをＭＣＳ設定部１０７から出力されたレピティション数に従ってＲＢ毎にシンボルレピティションし、多重部１１７に出力する。なお、レピティション部１０４−１〜１０４−ｎは、１ＯＦＤＭシンボルに含まれるリソースブロック数ｎだけ備えられる。
【００１７】
ＣＱＩ抽出部１０５は、後述する受信装置２００から送信されたフィードバック情報を取得し、取得したフィードバック情報からＣＱＩ情報を抽出する。そして、抽出したＣＱＩ情報をＲＢ割当部１０６及びＭＣＳ設定部１０７に出力する。
【００１８】
ＲＢ割当部１０６は、ＣＱＩ抽出部１０５から出力されたＣＱＩ情報に基づいて、任意のスケジューリング手法（例えば、Max CIR法、Proportional Fairness法）によって移動局（以下、ＵＥという）をＲＢに割り当てる。ＲＢ割当部１０６は、ＲＢを割り当てたＵＥのＩＤ（割当ＵＥ−ＩＤ）及び割当ＲＢ番号をＭＣＳ設定部１０７とグループＩＤ付与部１０８に出力する。
【００１９】
ＭＣＳ設定部１０７は、ＲＢ割当部１０６から出力された割当ＵＥ−ＩＤ及び割当ＲＢ番号と、ＣＱＩ抽出部１０５から出力されたＣＱＩ情報とに基づいて、ＵＥ毎に受信パケット誤り率が０．１以下となる最大のＭＣＳパラメータ（誤り訂正符号の符号化率、変調方式、レピティション数）を決定する。決定された符号化率は誤り訂正符号化部１０１に出力され、変調方式は変調部１０３−１〜１０３−ｎに出力され、レピティション数はレピティション部１０４−１〜１０４−ｎに出力される。また、決定されたＭＣＳパラメータはグループＩＤ付与部１０８及びＳＣＣＨ処理部１０９に出力される。
【００２０】
グループＩＤ付与部１０８は、ＲＢ割当部１０６から出力された割当ＵＥ−ＩＤ及び割当ＲＢ番号と、ＭＣＳ設定部１０７から出力されたＭＣＳパラメータとを用いて、例えば、図２に示すような判定条件に基づいて、各ＵＥが低レートデータを受信するＵＥ（以下、「低レートＵＥ」という）であるか、高レートデータを受信するＵＥ（以下、「高レートＵＥ」という）であるかを判定する。
【００２１】
図２の例では、ＭＣＳパラメータの示す変調レベルがＱＰＳＫ以下であり、かつ、割当リソース量が１ＲＢ以下である場合に低レートＵＥであると判定される。それ以外の条件では、高レートＵＥであると判定される。グループＩＤ付与部１０８は、低レートＵＥと判定した複数のＵＥをグループ化し、グループ化したＵＥにグループＩＤを付与する。グループ化されたＵＥの割当ＵＥ−ＩＤ（以下、「低レートＵＥ−ＩＤ」という）は付与されたグループＩＤに変更される。低レートＵＥについては、付与されたグループＩＤ、低レートＵＥ−ＩＤ及び割当ＲＢ番号が、また、高レートＵＥについては、割当ＵＥ−ＩＤ及び割当ＲＢ番号がＳＣＣＨ処理部１０９に出力される。また、低レートＵＥ−ＩＤ及び割当ＲＢ番号は低レート用制御情報処理部１１３に出力される。
【００２２】
ＳＣＣＨ処理部１０９は、ＳＣＣＨ生成部１１０、誤り訂正符号化部１１１及び変調部１１２を備えている。ＳＣＣＨ生成部１１０は、ＭＣＳ設定部１０７から出力されたＭＣ
Ｓパラメータと、グループＩＤ付与部１０８から出力された低レートＵＥ−ＩＤ及び割当ＲＢ番号とを結合してＳＣＣＨ情報を生成し、生成したＳＣＣＨ情報を誤り訂正符号化部１１１に出力する。誤り訂正符号化部１１１は、ＳＣＣＨ情報に誤り訂正符号化を施し、変調部１１２は、ＳＣＣＨ情報の符号化データを変調して、多重部１１７に出力する。なお、誤り訂正符号化部１１１における符号化率及び変調部１１２における変調方式は、予め決定されており、特定の符号化率及び特定の変調方式に限定されるものではない。
【００２３】
低レート用制御情報処理部１１３は、低レート用制御情報生成部１１４、誤り訂正符号化部１１５、変調部１１６を備えている。低レート用制御情報生成部１１４は、グループＩＤ付与部１０８から出力された低レートＵＥ−ＩＤ及び割当ＲＢを結合して低レート用制御情報を生成し、誤り訂正符号化部１１５に出力する。誤り訂正符号化部１１５は、低レート用制御情報に誤り訂正符号化を施し、変調部１１６は、低レート用制御情報の符号化データを変調して、多重部１１７に出力する。なお、誤り訂正符号化部１１５における符号化率及び変調部１１６における変調方式は予め決定されている。
【００２４】
多重部１１７は、パイロットチャネル、ＳＣＣＨ処理部１０９から出力されたＳＣＣＨ、低レート用制御情報処理部１１３から出力された低レート用制御チャネル、レピティション部１０４−１〜１０４−ｎから出力されたデータシンボルを多重して、多重信号をＩＦＦＴ部１１８に出力する。ただし、低レート用制御チャネルは、低レートＵＥが割り当てられるＲＢのデータチャネル領域先頭に多重される。
【００２５】
ＩＦＦＴ部１１８は、多重部１１７から出力された多重信号にＩＦＦＴ（Inverse Fast
Fourier Transform）処理を施すことにより、周波数領域から時間領域に変換し、マルチキャリア信号であるＯＦＤＭシンボルを生成する。生成されたＯＦＤＭシンボルはＧＩ付加部１１９に出力される。
【００２６】
ＧＩ付加部１１９は、ＩＦＦＴ部１１８から出力されたＯＦＤＭシンボルの後尾部分と同じ信号をＧＩ（Guard Interval）としてＯＦＤＭシンボルの先頭に付加して、送信ＲＦ部１２０に出力する。ＧＩを付加することにより、遅延波によるシンボル間干渉を低減することができる。
【００２７】
送信ＲＦ部１２０は、ＧＩ付加部から出力されたＯＦＤＭシンボルにＤ／Ａ変換、増幅及びアップコンバート等の送信処理を施し、送信処理を施した信号をアンテナ１２１から後述する受信装置２００に送信する。
【００２８】
図３は、本発明の実施の形態１に係る受信装置２００の構成を示すブロック図である。この図において、受信ＲＦ部２０２は、図１に示した送信装置１００から送信されたＯＦＤＭシンボルをアンテナ２０１を介して受信し、受信したＯＦＤＭシンボルに対して、ダウンコンバート、Ａ／Ｄ変換等の受信処理を行ってＧＩ除去部２０３に出力する。
【００２９】
ＧＩ除去部２０３は、ＯＦＤＭシンボルに付加されたＧＩを除去してＦＦＴ部２０４に出力する。
【００３０】
ＦＦＴ部２０４は、ＧＩ除去部２０３から出力されたＯＦＤＭシンボルにＦＦＴ（Fast
Fourier Transform）処理を施して、時間領域から周波数領域に変換し、パイロット信号とその他の受信信号を得る。パイロット信号はチャネル推定部２０５に出力され、その他の受信信号は等化部２０６に出力される。
【００３１】
チャネル推定部２０５は、ＦＦＴ部２０４から出力されたサブキャリア毎のパイロット信号を用いて、サブキャリア毎にチャネル推定を行い、チャネル推定値を等化部２０６及
びＣＱＩ生成部２２０に出力する。また、チャネル推定部２０５は、サブキャリア毎のパイロット信号の信号電力値（Ｓ）、干渉電力値（Ｉ）および雑音電力値（Ｎ）を検出して、ＳＩＮＲ値をＣＱＩ生成部２２０に出力する。
【００３２】
等化部２０６は、チャネル推定部２０５から出力されたチャネル推定値を用いて、ＦＦＴ部２０４から出力された受信信号の等化処理を行い、分離部２０７に出力する。
【００３３】
分離部２０７は、等化部２０６から出力された受信信号を受信データ、ＳＣＣＨ、低レート用制御チャネルに分離し、受信データをＲＢ毎にシンボル合成部２１２−１〜２１２−ｎに出力し、ＳＣＣＨをＳＣＣＨ受信部２０８に出力し、低レート用制御チャネルを低レート用制御情報受信部２１６に出力する。ただし、低レート用制御チャネルは、ＳＣＣＨ受信部２０８から入力される低レート用割当制御チャネルの割当ＲＢ番号に従って、受信データから分離される。
【００３４】
ＳＣＣＨ受信部２０８は、シンボル合成部２０９、復調部２１０、誤り訂正復号化部２１１を備えている。シンボル合成部２０９は分離部２０７から出力されたＳＣＣＨをシンボル合成し、復調部２１０はシンボル合成されたＳＣＣＨを復調し、誤り訂正復号化部２１１は復調されたＳＣＣＨを復号化し、割当ＲＢ番号、タイミングスロット及びこの割当ＲＢに対するＭＣＳパラメータを取得する。ここで、自装置が低レートＵＥであれば、ＳＣＣＨに含まれる低レート用制御チャネルの割当ＲＢ番号を分離部２０７に出力する。なお、復調処理及び誤り訂正復号化処理は、予め定められたＭＣＳパラメータに従って行われ、図１に示した送信装置１００の誤り訂正符号化部１１１の符号化率と変調部１１２の変調方式とにそれぞれ対応している。
【００３５】
シンボル合成部２１２−１〜２１２−ｎは、分離部２０７から出力された受信データのうち、レピティションによって複製されたシンボルと複製元のシンボルとをＳＣＣＨ受信部２０８から出力されたＭＣＳパラメータ（レピティション数）に従ってシンボル合成し、対応する復調部２１３−１〜２１３−ｎにそれぞれ出力する。なお、シンボル合成部２１２−１〜２１２−ｎは、１ＯＦＤＭシンボルに含まれるリソースブロック数ｎだけ備えられる。
【００３６】
復調部２１３−１〜２１３−ｎは、シンボル合成部２１２−１〜２１２−ｎから出力された合成シンボルをＳＣＣＨ受信部２０８から出力されたＭＣＳパラメータ（変調方式）に従って復調し、Ｐ／Ｓ部２１４に出力する。なお、復調部２１３−１〜２１３−ｎは、１ＯＦＤＭシンボルに含まれるリソースブロック数ｎだけ備えられる。
【００３７】
Ｐ／Ｓ部２１４は、復調部２１３−１〜２１３−ｎから出力された並列のデータシンボルを直列に変換して誤り訂正復号化部２１５に出力する。誤り訂正復号化部２１５は、Ｐ／Ｓ部２１４から出力されたデータシンボルをＳＣＣＨ受信部２０８から出力されたＭＣＳパラメータ（符号化率）に従って誤り訂正復号化する。これにより、受信データが得られる。
【００３８】
低レート用制御情報受信部２１６は、シンボル合成部２１７、復調部２１８、誤り訂正復号化部２１９を備えている。シンボル合成部２１７は分離部２０７から出力された低レート用制御情報をシンボル合成し、復調部２１８はシンボル合成された低レート用制御情報を復調し、誤り訂正復号化部２１９は復調された低レート用制御情報を誤り訂正復号化する。これにより、自装置の割当ＲＢ番号を認識する。
【００３９】
ＣＱＩ生成部２２０は、チャネル推定部２０５から出力されたＲＢ毎のＳＩＮＲ値を示すＣＱＩを生成する。生成されたＣＱＩは、誤り訂正符号化部２２１において符号化され
、変調部２２２において変調され、送信ＲＦ部２２３においてＤ／Ａ変換、増幅およびアップコンバート等の送信処理が施された後、アンテナ２０１から図１に示した送信装置１００に送信される。
【００４０】
図４に、各物理チャネル（パイロットチャネル、ＳＣＣＨ、共通データチャネル、低レート用制御チャネル）が多重された信号の配置を示す。ここで、ＲＢ数を８、低レートＵＥ数を４（ＵＥ−１〜４）、高レートＵＥ数を３（ＵＥ−５〜７）、ＭＣＳレベル数を４とし、ＲＢ割当部１０６がＲＢ−１に低レートＵＥ（ＵＥ−１〜４）を割り当て、ＲＢ−２〜ＲＢ−８に高レートＵＥ（ＵＥ−５〜７）を割り当てた場合、図４に示すように、低レートＵＥを割り当てたＲＢ−１のデータチャネル領域の先頭に低レート用制御チャネルが多重される。
【００４１】
図５は、図１に示したＳＣＣＨ処理部１０９によって生成されたＳＣＣＨフォーマットを示し、図６は、ＳＣＣＨ内の割当情報を示す。ここで、図５および図６に記載のＵＥ８は、グループＩＤ付与部１０８によって４ＵＥ分の低レートＵＥ−ＩＤ（ＵＥ−１〜４）を低レートグループのグループＩＤとして置き換えられたものである。すなわち、ＲＢ割当部１０６がＲＢに割り当てた低レートデータを受信するＵＥの割当ＵＥ−ＩＤは、ＳＣＣＨによってグループＩＤとして通知される。
【００４２】
なお、低レートＵＥ−ＩＤは、低レート用制御チャネルによって通知され、参考までに、低レート用制御チャネルのフォーマットを図７に示す。図７に示すＴＳ（Timing Slot）は、図４のＲＢ−１の割当リソース領域を示し、ＴＳ−１にＵＥ−１を、ＴＳ−２にＵＥ−２を割り当てていることを示している。また、ＴＳ−３にＵＥ−３を、ＴＳ−４にＵＥ−４を割り当てていることを示している。
【００４３】
図４に示したように、低レート用制御チャネルを、低レートＵＥを割り当てるＲＢに配置することにより、高レートＵＥを割り当てるＲＢから低レートＵＥのＳＣＣＨを削減することができる。この様子を図８に示す。図８において、点線で囲んだ領域が高レートＵＥを割り当てる領域として改善することができる。
【００４４】
このように実施の形態１によれば、低レートデータを受信するＵＥをグループ化し、グループＩＤを用いて周波数割り当てを行い、低レートデータを割り当てるＲＢに、低レートＵＥを割り当てたタイミングスロットを示す制御情報を配置することにより、高レートデータを割り当てるＲＢのデータ領域を改善することができるので、多くの低レートＵＥを収容しつつ、システムスループットの低下を回避することができる。
【００４５】
なお、図９に示すように、低レート用制御チャネルが複数のＲＢに配置される場合、各割当ＴＳ番号とＵＥ−ＩＤとをＲＢ毎に符号化するのではなく、同一の符号化率でまとめて符号化するようにしてもよい。これにより、より大きな符号化ゲインを得ることができ、低レート用制御情報の誤り率を改善することができる。
【００４６】
また、低レートＵＥのＭＣＳを個々に制御する場合、ＳＣＣＨで通知したＭＣＳの相対値（差分情報）を低レート用制御情報によって通知するようにしてもよい。これにより、受信装置においてよりチャネルの特性に応じたＭＣＳパラメータによって受信処理を行うことができるため、低レートＵＥのスループットを向上させることができる。
【００４７】
また、複数の低レートＵＥがそれぞれ１つのＲＢに配置される場合、図１０に示すように、低レートＵＥをグループ化し、ＳＣＣＨによって低レートＵＥグループが割り当てられたＲＢを通知し、低レート用制御情報によって各低レートＵＥのＭＣＳなどを通知するようにしてもよい。
【００４８】
（実施の形態２）
図１１は、本発明の実施の形態２に係る送信装置３００の構成を示すブロック図である。この図において、ＣＱＩ抽出部３０１は、受信装置から送信されたフィードバック情報を取得し、取得したフィードバック情報からＣＱＩ情報を抽出し、抽出したＣＱＩ情報をＲＢ割当部１０６、ＭＣＳ設定部１０７、低レート用制御情報割当部３０３に出力する。このＣＱＩ情報は、各ＵＥによって推定された各ＲＢの受信特性をＳＩＮＲ又はＭＣＳによって通知するものである。
【００４９】
グループＩＤ付与部３０２は、ＲＢ割当部１０６から出力された割当ＵＥ−ＩＤ及び割当ＲＢ番号と、ＭＣＳ設定部１０７から出力されたＭＣＳパラメータとを用いて、各ＵＥが低レートデータを受信するＵＥであるか、高レートデータを受信するＵＥであるかを判定する。グループＩＤ付与部３０２は、低レートＵＥと判定した複数のＵＥをグループ化し、グループ化したＵＥにグループＩＤを付与する。低レートＵＥについては、付与されたグループＩＤ、低レートＵＥ−ＩＤ及び割当ＲＢ番号が、また、高レートＵＥについては、割当ＵＥ−ＩＤ及び割当ＲＢ番号がＳＣＣＨ処理部１０９に出力される。また、低レートＵＥ−ＩＤ及び割当ＲＢ番号は低レート用制御情報処理部１１３及び低レート用制御情報割当部３０３に出力される。
【００５０】
低レート用制御情報割当部３０３は、グループＩＤ付与部３０２から出力された各ＲＢの受信特性をＣＱＩ抽出部３０１から出力されたＣＱＩ情報から取得し、各低レートＵＥから送信されたＣＱＩ情報のうち、最も多くのＣＱＩ情報によって受信特性が良好であるとされたＲＢを受信特性の最も良好なＲＢと判定し、低レート用制御情報をこのＲＢにまとめて割り当てる。低レート用制御情報の割当情報（割当ＲＢ番号）はＳＣＣＨ処理部１０９に出力される。なお、低レート用制御情報を割り当てるＲＢを変更したことにより、低レートＵＥの割当ＲＢ番号の変更があれば、変更後の割当ＲＢ番号と共に低レートＵＥ−ＩＤを低レート用制御情報処理部１１３に出力する。
【００５１】
図１２に、各物理チャネル（パイロットチャネル、ＳＣＣＨ、共通データチャネル、低レート用制御チャネル）が多重された信号の配置を示す。ここで、ＲＢ数を８、低レートＵＥ数を８（ＵＥ−１〜８）、高レートＵＥ数を３（ＵＥ−９〜１１）、ＭＣＳレベル数を４とする。また、ＳＣＣＨでは、割当ＲＢ番号、割当ＵＥ−ＩＤ、ＭＣＳを通知するものとする。
【００５２】
図１２では、受信特性の最も良好なＲＢ−１に低レート用制御情報をまとめて割り当て、ＲＢ−１とＲＢ−１に隣接するＲＢ−２に低レートＵＥ（ＵＥ−１〜８）を割り当て、さらに、ＲＢ−３〜ＲＢ−８に高レートＵＥ（ＵＥ−９〜１１）を割り当てた場合を示している。特に、受信特性の最も良好なＲＢ−１のデータチャネル領域の先頭に低レート用制御チャネルをまとめて多重している。なお、図１２のＲＢ−１、ＲＢ−２では、ＵＥ−ＩＤとタイミング番号が同じになるように割り当てているが、この割り当てに限定するものではない。
【００５３】
このように実施の形態２によれば、受信品質の最も良好なＲＢに低レート用制御情報をまとめて配置することにより、低レート用制御情報の誤り率を改善することができる。
【００５４】
なお、本実施の形態では、受信品質の最も良好な低レートＵＥを割り当てるＲＢが１つの場合について説明したが、このようなＲＢが複数の場合には、この複数のＲＢに低レート用制御情報を分割して配置してもよい。
【００５５】
（実施の形態３）
本発明の実施の形態３に係る送信装置の構成は、その機能が一部異なるのみで実施の形態１に係る送信装置１００と同様の構成を有するため、図１を援用して説明する。
【００５６】
グループＩＤ付与部１０８は、ＭＣＳ設定部１０７から出力されたＭＣＳパラメータに基づいて、同一のＲＢに割り当てられた低レートＵＥが全て同一のＭＣＳであることを条件に、これらの低レートＵＥをグループ化し、グループ化したＵＥにグループＩＤを付与する。
【００５７】
図１３に、各物理チャネル（パイロットチャネル、ＳＣＣＨ、共通データチャネル、低レート用制御チャネル）が多重された信号の配置を示す。ここで、ＲＢ数を８、低レートＵＥ数を８（ＵＥ−１〜８）、高レートＵＥ数を３（ＵＥ−９〜１１）、ＭＣＳレベル数を４とする。また、ＳＣＣＨでは、割当ＲＢ番号、割当ＵＥ−ＩＤ、ＭＣＳを通知するものとする。
【００５８】
図１３において、低レートＵＥ−１〜８は、同一のＭＣＳであることから、グループ化されており、このＭＣＳはＳＣＣＨによって通知されるため、各低レートＵＥのＭＣＳを低レート用制御情報から削減することができる。なお、図１３のＲＢ−１、ＲＢ−２では、ＵＥ−ＩＤとタイミング番号が同じになるように割り当てているが、この割り当てに限定するものではない。
【００５９】
このように実施の形態３によれば、同一のＭＣＳが設定された低レートＵＥをグルーピングし、このＭＣＳをＳＣＣＨによって通知することにより、各低レートＵＥのＭＣＳを低レート用制御情報に含めずに済むことから、低レート用制御情報の情報量を削減することができる。
【００６０】
（実施の形態４）
本発明の実施の形態４では、受信装置はＣＱＩとして受信信号レベルと共に、受信装置の移動速度も送信装置に報告するものとする。
【００６１】
図１４は、本発明の実施の形態４に係る送信装置４００の構成を示すブロック図である。この図において、ＣＱＩ抽出部４０１は、受信装置からフィードバック情報に含まれた受信装置の移動速度を示す情報を取得し、フィードバック情報からＣＱＩ情報と移動速度情報を抽出する。ＣＱＩ抽出部４０１は、抽出したＣＱＩ情報をＲＢ割当部１０６及びＭＣＳ設定部１０７に出力し、一方、移動速度情報をグループＩＤ付与部４０２に出力する。
【００６２】
グループＩＤ付与部４０２は、ＣＱＩ抽出部４０１から出力された移動速度情報に基づいて、同一のＲＢに割り当てられた低レートＵＥが全て一定の範囲内の移動速度であることを条件に、これらの低レートＵＥをグループ化し、グループ化したＵＥにグループＩＤを付与する。
【００６３】
これにより、例えば、移動速度の速い低レートＵＥをグループ化し、これらの低レートＵＥを割り当てるＲＢのデータチャネルに個別パイロットを追加すれば、移動速度の速い場合に劣化するチャネル推定精度を改善することができる。
【００６４】
（実施の形態５）
本発明の実施の形態５に係る送信装置の構成は、その機能が一部異なるのみで実施の形態１に係る送信装置１００と同様の構成を有するため、図１を援用して説明する。
【００６５】
ＳＣＣＨ処理部１０９は、フレーム先頭のＴＴＩ内において、このフレームに含まれる
各ＴＴＩにおける低レートＵＥの割当規則を含めたＳＣＣＨを生成する。ここで、低レートＵＥの割当規則としては、例えば、各ＴＴＩにおいて、高レートＵＥに割り当てられたＲＢ以外のＲＢのうち、ＲＢ番号の若い順に割り当てる低レートＵＥを規定することなどが挙げられる。
【００６６】
図１５は、各物理チャネル（パイロットチャネル、ＳＣＣＨ、共通データチャネル、低レート用制御チャネル）が多重された信号の配置を示す。ここで、ＲＢ数を８、低レートＵＥ数を４（ＵＥ−１〜４）、高レートＵＥ数を３（ＵＥ−５〜７）、ＭＣＳレベル数を４とする。また、ＳＣＣＨでは、割当ＲＢ番号、割当ＵＥ−ＩＤ、ＭＣＳを通知するものとする。
【００６７】
図１５では、フレーム先頭のＴＴＩ−＃１において、低レートＵＥの割当規則をＳＣＣＨに含めて多重する様子を示している。ここでの割当規則としては、高レートＵＥに割り当てられたＲＢ以外のＲＢのうち、ＲＢ番号の若い順に低レートＵＥ−４，１，２，３を割り当てることを規定している。
【００６８】
この割当規則により、ＴＴＩ−＃２では、ＲＢ−２，５，７を高レートＵＥに割り当てていることから、残りのＲＢ−１を低レートＵＥ−４に割り当て、ＲＢ−４を低レートＵＥ−１に割り当て、ＲＢ−６を低レートＵＥ−２に割り当て、さらに、ＲＢ−８を低レートＵＥ−３に割り当てている。
【００６９】
同様に、ＴＴＩ−＃３では、ＲＢ−２，３，７，８を高レートＵＥに割り当てていることから、残りのＲＢ−１を低レートＵＥ−４に割り当て、ＲＢ−４を低レートＵＥ−１に割り当て、ＲＢ−５を低レートＵＥ−２に割り当て、さらに、ＲＢ−６を低レートＵＥ−３に割り当てている。
【００７０】
このように実施の形態４によれば、フレーム内の低レートＵＥの割当規則を含めたＳＣＣＨをフレーム先頭のＴＴＩに多重することにより、同一フレーム内の他のＴＴＩにおいて低レート用制御情報を削減することができる分、低レートデータを増加させることができるので、スループットを向上させることができる。
【００７１】
なお、本実施の形態では、低レートＵＥを対象としたグループ化を行う場合について説明したが、低レートＵＥをDistributed channelが割り当てられたＵＥに置き換えても同様の効果が得られる。
【００７２】
上記各実施の形態では、本発明をハードウェアで構成する場合を例にとって説明したが、本発明はソフトウェアで実現することも可能である。
【００７３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００７４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００７５】
さらには、半導体技術の進歩または派生する別技術によりＬＳＩに置き換わる集積回路化の技術が登場すれば、当然、その技術を用いて機能ブロックの集積化を行ってもよい。
バイオ技術の適応等が可能性としてありえる。
【００７６】
本明細書は、２００５年１１月１０日出願の特願２００５−３２６７３０に基づくものである。この内容をここに含めておく。
【産業上の利用可能性】
【００７７】
本発明にかかる無線送信装置及び無線送信方法は、低レートデータを受信する移動局を多く収容し、システムスループットの低下を回避することができ、無線通信基地局装置等に適用できる。
【図面の簡単な説明】
【００７８】
【図１】本発明の実施の形態１、３及び５に係る送信装置の構成を示すブロック図
【図２】図１に示したグループＩＤ付与部における低レートＵＥの判定条件
【図３】本発明の実施の形態１に係る受信装置の構成を示すブロック図
【図４】各物理チャネルが多重された信号の配置を示す図
【図５】図１に示したＳＣＣＨ処理部によって生成されたＳＣＣＨフォーマットを示す図
【図６】ＳＣＣＨ内の割当情報を示す図
【図７】低レート用制御チャネルのフォーマットを示す図
【図８】高レート受信ＵＥを割り当てるＲＢから低レートＵＥのＳＣＣＨを削減した様子を示す図
【図９】低レート用制御チャネルが複数のＲＢに配置される様子を示す図
【図１０】複数の低レートＵＥのそれぞれを１つのＲＢに配置される様子を示す図
【図１１】本発明の実施の形態２に係る送信装置の構成を示すブロック図
【図１２】各物理チャネルが多重された信号の配置を示す図
【図１３】各物理チャネルが多重された信号の配置を示す図
【図１４】本発明の実施の形態４に係る送信装置の構成を示すブロック図
【図１５】各物理チャネルが多重された信号の配置を示す図
【図１】
0004757878.tif 000002
【図２】
0004757878.tif 000003
【図３】
0004757878.tif 000004
【図４】
0004757878.tif 000005
【図５】
0004757878.tif 000006
【図６】
0004757878.tif 000007
【図７】
0004757878.tif 000008
【図８】
0004757878.tif 000009
【図９】
0004757878.tif 000010
【図１０】
0004757878.tif 000011
【図１１】
0004757878.tif 000012
【図１２】
0004757878.tif 000013
【図１３】
0004757878.tif 000014
【図１４】
0004757878.tif 000015
【図１５】
0004757878.tif 000016